(57)【要約】【課題】  出力端子部の安全性が確保された携帯型の太陽光発電システムを提供する。【解決手段】  太陽光発電システム５０は、太陽電池パネル枠体２とバッテリパック３とを備えている。バッテリパック３には電源出力端子３ｂが設けられている。電源出力端子３ｂは、外部蓄電池５へ電力を供給する。また、バッテリパック３は、その表面に開口部３ａを有している。電源出力端子３ｂは開口部３ａの内側に設けられている。これによれば、太陽光発電システム５０の使用時の安全性が確保されているとともに、電源出力端子３ｂへのプラグ２０の差込が容易である。【選択図】        図１
2006278425.tif 000002
【特許請求の範囲】
【請求項１】
複数の太陽電池で構成される太陽電池パネルを有する太陽電池パネル枠体と、
前記太陽電池パネルと電気的に接続され、かつ、外部機器へ電力を供給するための電力出力端子を有する電力供給部とを備え、
前記電力供給部は、その表面に開口部を有し、
前記電力出力端子が前記開口部の内側に設けられている、太陽光発電システム。
【請求項２】
前記開口部を閉じるようにスライドし、前記電力出力端子を遮蔽可能な電力出力端子カバーをさらに有し、
該電力出力端子カバーが前記電力出力端子を遮蔽している状態となっているときにのみ、前記電力供給部から前記外部機器へ電力の供給が行なわれるように、前記電力出力端子カバーが前記電力供給部から前記外部機器へ電力を供給するか否かを決定するスイッチとなっている、請求項１に記載の太陽光発電システム。
【請求項３】
複数の太陽電池で構成される太陽電池パネルを有する太陽電池パネル枠体と、
前記太陽電池パネルと電気的に接続されるように、前記太陽電池パネルの受光面の裏側に位置する前記太陽電池パネル枠体の裏面に装着可能な電力供給部とを備え、
前記太陽電池パネルと前記電力供給部とを電気的に接続する一対の接続端子部の一方の接続端子部が、前記太陽電池パネル枠体の裏面から突出するように設けられており、
前記一方の接続端子部の底面に、該接続端子部内の空間と外部とを連通させる開口部が設けられた、太陽光発電システム。
【請求項４】
複数の太陽電池で構成される太陽電池パネルを有する太陽電池パネル枠体と、
前記太陽電池パネルと電気的に接続されるように、前記太陽電池パネルの受光面の裏側に位置する前記太陽電池パネル枠体の裏面に装着可能な電力供給部とを備え、
前記太陽電池パネル枠体には、前記受光面と地面とがなす角度を変更かつ固定可能なスタンド部が設けられており、
前記スタンド部が機能しているときには、前記太陽電池パネル枠体の一部および前記スタンド部の一部が地面に接触しており、
前記電力供給部は、前記太陽電池パネル枠体の一部と前記スタンドの一部との間において、前記地面に接触しないような形状に形成されている、太陽光発電システム。
【請求項５】
複数の太陽電池で構成される太陽電池パネルを有する太陽電池パネル枠体と、
前記太陽電池パネルと電気的に接続されるように、前記太陽電池パネルの受光面の裏側に位置する前記太陽電池パネル枠体の裏面に装着可能な電力供給部とを備え、
前記太陽電池パネルと前記電力供給部とを電気的に接続する一対の接続端子部の一方の接続端子部が、前記太陽電池パネル枠体の裏面から突出するように設けられており、
前記太陽電池パネル枠体には、前記受光面と地面との角度を変更かつ固定可能なスタンド部が設けられており、
前記スタンド部が機能しているときには、前記太陽電池パネル枠体の一部および前記スタンド部の一部が地面に接触しており、
前記一方の接続端子部は、前記太陽電池パネル枠体の一部と前記スタンドの一部との間において、前記地面に接触しないような形状に形成されている、太陽光発電システム。
【請求項６】
複数の太陽電池で構成される太陽電池パネルを有する太陽電池パネル枠体と、
前記太陽電池パネルと電気的に接続されるように、前記太陽電池パネルの受光面の裏側に位置する前記太陽電池パネル枠体の裏面に装着可能な電力出力端子を有する電力供給部とを備え、
前記太陽電池パネルと前記電力供給部とは、互いが向かい合う面の一部のみが接触している、太陽光発電システム。
【請求項７】
前記太陽電池パネルと前記電力供給部とは、互いに装着されたときに、外部に開放されている空洞部を介して、対向する、請求項６に記載の太陽光発電システム。
【発明の詳細な説明】
【技術分野】
【０００１】
本発明は、携帯用の太陽光発電システムに関するものである。
【背景技術】
【０００２】
近年、地球環境対策の観点から各種エネルギー利用のあり方の見直しが図られている。特に、太陽エネルギーを利用する太陽電池は、クリーンなエネルギー供給源の代表として期待されている。一般的には、太陽電池を用いた発電システムは、住宅等の屋根またはビルなどの壁面に設置され、商用電源だけでは必要な消費電力を賄えない場合に、その不足する電力を供給する役割を果たしている。
【０００３】
一方、キャンプ場や海水浴場などの屋外において独立電源として使用される、携帯用の太陽光発電システムにおいては、安全性および軽量化が求められている。
【特許文献１】特開２００３−１１５６０２号公報
【特許文献２】特開平１０−３０３４４６号公報
【特許文献３】特開２００１−９５１７８号公報
【特許文献４】特開２００４−８８４０３号公報
【発明の開示】
【発明が解決しようとする課題】
【０００４】
キャンプ場や海水浴場などの屋外で使用する独立電源は、太陽電池パネルを含む太陽電池モジュール、蓄電池、コントローラ、およびインバータが、それぞれ独立した製品となっている。したがって、携帯用として用いるには不便である。そのため、太陽電池モジュールと蓄電池とが電気的に結合され、携帯することが可能な一体型の太陽光発電システムが求められている。
【０００５】
また、蓄電池については、使用時における出力端子部の安全性の確保が求められているとともに、屋外においても、効率的に充電することができる性能を有することが求められている。また、太陽電池モジュールについては、軽量で持ち運びし易いものが求められている。
【０００６】
本発明は、上述の問題に鑑みてなされたものであり、その目的は、安全性が確保された一体型の太陽電池システムを提供することである。また、他の目的は、屋外でも効率的に充電できる太陽発電システムを提供することである。さらに他の目的は、軽量で持ち運びし易い太陽光発電システムを提供することである。さらに別の目的は、太陽電池パネルで生成された熱が蓄電池へ伝達され難い太陽光発電システムを提供することである。
【課題を解決するための手段】
【０００７】
本発明の一の局面の太陽光発電システムは、複数の太陽電池で構成される太陽電池パネルを有する太陽電池パネル枠体と、太陽電池パネルと電気的に接続され、かつ、外部機器へ電力を供給するための電力出力端子を有する電力供給部とを備えている。また、電力供給部は、その表面に開口部を有し、電力出力端子が開口部の内側に設けられている。これによれば、太陽電池システムの使用時の安全性が確保されるとともに、電源出力端子への電力ケーブルのコネクタの差込が容易である。
【０００８】
また、前述の太陽光発電システムは、開口部を閉じるようにスライドし、電力出力端子を遮蔽可能な電力出力端子カバーをさらに有しており、電力出力端子カバーが電力出力端子を遮蔽している状態となっているときにのみ、電力供給部から外部機器へ電力の供給が行なわれるように、電力出力端子カバーが電力供給部から外部機器へ電力を供給するか否かを決定するスイッチとなっていることが望ましい。これによれば、電力供給部から外部機器へ電力が供給されているときには、電力出力端子部が遮蔽されているため、常に安全な状態で電力の供給が行なわれる。
【０００９】
本発明の他の局面の太陽光発電システムは、複数の太陽電池で構成される太陽電池パネルを有する太陽電池パネル枠体と、太陽電池パネルと電気的に接続されるように、太陽電池パネルの受光面の裏側に位置する太陽電池パネル枠体の裏面に装着可能な電力供給部とを備えている。また、太陽電池パネルと電力供給部とを電気的に接続する一対の接続端子部の一方の接続端子部が、太陽電池パネル枠体の裏面から突出するように設けられている。また、一方の接続端子部の底面に、一方の接続端子部内の空間と外部とを連通させる開口部が設けられている。これによれば、一方の接続端子部内に溜まった水滴を開口部から外部へ自動的に流すことができる。その結果、一方の接続端子に水が溜まることによって生じる事故の発生が防止される。
【００１０】
本発明のまた他の局面の太陽光発電システムは、複数の太陽電池で構成される太陽電池パネルを有する太陽電池パネル枠体と、太陽電池パネルと電気的に接続されるように、太陽電池パネルの受光面の裏側に位置する太陽電池パネル枠体の裏面に装着可能な電力供給部とを備えている。また、太陽電池パネル枠体には、受光面と地面とがなす角度を変更かつ固定可能なスタンド部が設けられている。また、スタンド部が機能しているときには、太陽電池パネル枠体の一部およびスタンド部の一部が地面に接触している。また、電力供給部は、太陽電池パネル枠体の一部とスタンドの一部との間において、地面に接触しないような形状に形成されている。これによれば、発電時に電源供給部が支障となって、受光面を任意の方向に向けることができないという不都合の発生を防止することができる。そのため、屋外での充電の効率が向上する。
【００１１】
本発明の別の局面の太陽光発電システムは、複数の太陽電池で構成される太陽電池パネルを有する太陽電池パネル枠体と、太陽電池パネルと電気的に接続されるように、太陽電池パネルの受光面の裏側に位置する太陽電池パネル枠体の裏面に装着可能な電力供給部とを備えている。また、太陽電池パネルと電力供給部とを電気的に接続する一対の接続端子部の一方の接続端子部が、太陽電池パネル枠体の裏面から突出するように設けられている。また、太陽電池パネル枠体には、受光面と地面との角度を変更かつ固定可能なスタンド部が設けられている。また、スタンド部が機能しているときには、太陽電池パネル枠体の一部およびスタンド部の一部が地面に接触している。また、一方の接続端子部は、太陽電池パネル枠体の一部とスタンドの一部との間において、地面に接触しないような形状に形成されている。これによれば、発電時に一方の接続端子部が支障となって、受光面を任意の方向に向けることができないという不都合の発生を防止することができる。そのため、屋外での充電の効率が向上する。
【００１２】
本発明のさらに別の局面の太陽光発電システムは、複数の太陽電池で構成される太陽電池パネルを有する太陽電池パネル枠体と、太陽電池パネルと電気的に接続されるように、太陽電池パネルの受光面の裏側に位置する太陽電池パネル枠体の裏面に装着可能な電力出力端子を有する電力供給部とを備えている。太陽電池パネルと電力供給部とは、互いが向かい合う面の一部のみが接触している。これによれば、発電中に太陽電池パネルの発熱の影響が電力供給部へ伝達され、電力供給部の温度が上昇してしまう不都合が防止される。
【００１３】
また、前述の太陽光発電システムは、太陽電池パネルと電力供給部とは、互いに装着されたときに、外部に開放されている空洞部を介して、対向していることが望ましい。これによれば、空洞部の開放端から熱を放出することが可能であるため、電力供給部の温度上昇をより確実に抑制することができる。
【発明を実施するための最良の形態】
【００１４】
以下、図を用いて、本発明の実施の形態の太陽光発電システムを説明する。
【００１５】
本実施の形態の太陽光発電システム５０は、図１および図２に示すように、複数の太陽電池で構成される太陽電池パネル１を有する太陽電池パネル枠体２を備えている。また、太陽光発電システム５０は、電力供給部としてのバッテリパック３を備えている。また、バッテリパック３は、例えば太陽電池パネル１の受光面の裏側に位置する太陽電池パネル枠体２の裏面に装着され、それにより、太陽電池パネル１と電気的に接続される。また、バッテリパック３は内部に蓄電池を有している。したがって、太陽電池パネル１で生成された電力は、バッテリパック３内部の蓄電池に充電される。また、バッテリパック３は、外部機器としての外部蓄電池５等へ電力を供給するための電力出力端子３ｂを有している。したがって、バッテリパック３の内部の蓄電池の充電が完了した後には、太陽電池パネル１で生成された電力は、外部蓄電池５に充電される。
【００１６】
また、バッテリパック３は、太陽電池パネル１に装着された状態で、その表面に開口部３ａを有している。前述の電力出力端子３ｂは開口部３ａの内側に設けられている。また、図１に示す太陽光発電システム５０は、プラグ２０が、図の矢印で示す方向に、開口部３ａに対して挿入される。このとき、電力出力端子部３ｂは、開口部３ａよりも奥まった位置に設けられているため、ユーザが誤った使用方法により感電等の事故が発生することが防止されている。ただし、電力出力端子３ｂへの電力ケーブルのプラグ２０の差込は家庭用のプラグの差込と同様に容易である。
【００１７】
なお、図１に示すバッテリパック３は、開口部３ａがその下側に向かって設けられている。そのため、埃や雨水が開口部３ａから電力出力端子部３ｂへ流れ込むおそれはない。
【００１８】
また、太陽電池パネル枠体２には、後述する図７に示すように、太陽電池パネル１の受光面と地面１００とがなす角度を変更かつ固定可能なスタンド部３が設けられている。スタンド部３は、太陽電池パネル枠体２の裏面に設けられたヒンジ部１３を支点として回動する。また、ヒンジ部１３とスタンド部３とは互い間の摩擦力で互いの相対的位置関係が固定される。そのため、スタンド部３と太陽電池パネル１の受光面とがなす角度を変更することができるとともに、スタンド部３と太陽電池パネル１の受光面とがなす角度を一定に保持することができる。
【００１９】
また、太陽光発電システム５０は、図３に示すように、図１示す構造とは異なり、開口部３ａを閉じるようにスライドし、電力出力端子３ｂを遮蔽可能な電力出力端子カバー７をさらに有する構造であってもよい。また、この図３に示す電力出力端子カバー７が電力出力端子３ｂを遮蔽している状態となっているときにのみ、バッテリパック３から外部機器としての外部蓄電池５へ電力の供給が行なわれるように、電力出力端子３ｂがバッテリパック３から外部蓄電池５へ電力を供給するか否かを決定するスイッチとなっている。これによれば、バッテリパック３から外部蓄電池５へ電力が供給されているときには、電力出力端子部３ｂが遮蔽されているため、常に安全な状態で電力の供給が行なわれる。
【００２０】
なお、図３に示す構造の太陽光発電システムによれば、電力出力端子カバー７内にプラグ２０が挿入された状態で、プラグ２０と電力出力端子カバー７とが共に移動するため、プラグ２０を挿入する方向と電力出力端子カバー７の移動方向とは同一である。
【００２１】
ただし、図４に示すように、プラグ２０が図２に示す構造の開口部３ａから矢印Ａで示す方向に挿入されて電力出力端子３ｂに結合されるとともに、電力出力端子カバー７が電源端子部３ｂを遮蔽するために、プラグ２０の挿入方向とは異なる矢印Ｂで示す方向に移動するものであってもよい。すなわち、プラグ２０を挿入する方向と電力出力端子カバー７の移動方向とが異なっていてもよい。
【００２２】
また、図５および図６に示すように、太陽電池パネル２とバッテリパック３とは、互いが向かい合う面の一部のみが接触している。つまり、図５および図６に示すバッテリパック３によれば、バッテリパック３の中央部から上端部にかけての位置に凹部９が設けられており、凹部９の周囲のみが太陽電池パネル枠体２に接触している。これによれば、発電中に太陽電池パネル１において生成された熱がバッテリパック３へ大量に伝達され、バッテリパック３の温度が大きく上昇してしまう不都合が防止される。
【００２３】
また、太陽電池システム５０は、バッテリパック３と太陽電池パネル枠体２との間においては、上端が開放されている空洞が形成されている。つまり、太陽電池パネル枠体２の裏面とバッテリパック３の裏面との間に凹部９によって形成される空間は、太陽電池パネル枠体２の上方側において外部空間と連通している。なお、バッテリパック３に設けられた２本の溝部３ｃと太陽電池パネル枠体２の裏面に設けられた２本の凸条１０とによってスライド機構が構成されている。溝部３ｃと凸条１０とは互いに嵌合しながら摺動する。したがって、バッテリパック３は、太陽電池パネル枠体２の裏面から上方端側へ引き抜かれる。
【００２４】
このスライド機構は、図５および図６の矢印で示す方向に、太陽電池パネル枠体２とバッテリパック３とを相対的に移動させ得るものである。この太陽電池パネル１とバッテリパック３との着脱に用いられる。これによれば、太陽電池パネル１とバッテリパック３とを簡単に着脱することができる。また、スライド機構の上側の開放端を有する空洞部から太陽電池システム５０の外部へは、熱が放出され易い。そのため、バッテリパック３の過剰な温度上昇を抑制することができる。
【００２５】
また、図６に示すように、太陽電池パネル枠体２の裏面から突出する突出部４が設けられていている。突出部４には、太陽電池パネル１とバッテリパック３とを電気的に接続する一対の接続端子部３ｄおよび４ａの一方の接続端子部としての接続端子部４ａが設けられている。また、接続端子部４ａの底面には、接続端子部４ａ内の空間と外部とを連通させる開口部１２が設けられていてる。これによれば、接続端子部４ａ内に溜まった水滴を開口部１２から外部へ自動的に流すことができる。
【００２６】
また、スタンド部３が機能しているときには、図７に示すように、太陽電池パネル枠体２の下部およびスタンド部４の端部が地面に接触している。また、バッテリパック３の下端８および突出部４のそれぞれは、図７に示すように、太陽電池パネル枠体２の下部とスタンド部３の端部との間において、地面１００に接触しないことが必要である。そのため、バッテリパック３の下端８および突出部４は、たとえば、円弧状またはスロープ状等の形状に形成されていることが望ましい。これによれば、発電時にバッテリパック３および接続端子部としての突出部４が地面１００と接触するために、受光面を任意の方向に向けることができないという不都合の発生を防止することができる。そのため、屋外での充電の効率が向上する。
【００２７】
また、上記の太陽光発電システム５０は、図８の矢印で示すように、太陽電池パネル１が設けられた太陽電池パネル枠体２を複数有し、複数の太陽電池パネル１の受光面同士が、向かい合うように、または、同一平面上に位置するように、回動するヒンジ部１５を備えている構造のものであってもよい。これによれば、非使用時には、太陽電池システム５０を折り畳むことができるため、太陽光発電システム５０を小型化することができる。
【００２８】
なお、一実施の形態として太陽電池パネル枠体の裏面に装着可能な太陽光発電システムの説明がなされてきたが、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれていることが意図される。
【図面の簡単な説明】
【００２９】
【図１】実施の形態の太陽光発電システムの太陽電池パネルを示す正面を示す斜視図である。
【図２】実施の形態の太陽光発電システムの裏面を示す斜視図である。
【図３】実施の形態の他の例の太陽光発電システムの裏面を示す斜視図である。
【図４】実施の形態のさらに他の例の太陽光発電システムの裏面を示す斜視図である。
【図５】実施の形態の太陽光発電システムの太陽電池パネル枠体およびバッテリパックの裏面を示す模式図である。
【図６】図２および図３に示す太陽電池システムのバッテリパックの装着中の断面図である。
【図７】実施の形態の太陽光発電システムの使用時の側面図である。
【図８】実施の形態の別の例の太陽光発電システムの斜視図である。
【符号の説明】
【００３０】
１  太陽電池パネル、２  太陽電池パネル枠体、３  バッテリパック、３ａ  開口部、３ｂ  電力出力端子部、３ｃ  溝、４  突出部、４ａ  接続端子部、５  外部蓄電池、６  開口部、７  出力電源端子カバー、８  バッテリパックの下端、９  凹部、１０  凸条、１２  開口部、１３  ヒンジ部。
【図１】
2006278425.tif 000003
【図２】
2006278425.tif 000004
【図３】
2006278425.tif 000005
【図４】
2006278425.tif 000006
【図５】
2006278425.tif 000007
【図６】
2006278425.tif 000008
【図７】
2006278425.tif 000009
【図８】
2006278425.tif 000010